【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
動画データを処理するデータ処理装置であって、
前記動画データに関連した同期信号を生成する同期信号生成手段と、
前記同期信号に応じてそれぞれ処理を行う複数の処理手段と、
メモリと、
前記複数の処理手段からの前記メモリへのアクセス要求を受け、前記アクセス要求に応じて前記複数の処理手段の前記メモリへのアクセスを制御するメモリ制御手段とを備え、
前記メモリ制御手段は、前記同期信号に従って、前記複数の処理手段のうちの所定の処理手段からのアクセス要求をマスクするためのマスク期間を設定し、前記マスク期間における前記所定の処理手段からのアクセス要求をマスクすることを特徴とするデータ処理装置。
【請求項２】
前記複数の処理手段は、リアルタイム処理手段と非リアルタイム処理手段とを含み、
前記メモリ制御手段は、前記マスク期間において前記非リアルタイム処理手段からのアクセス要求をマスクすることを特徴とする請求項１に記載のデータ処理装置。
【請求項３】
前記同期信号生成手段は、水平同期信号と垂直同期信号とを生成し、
前記リアルタイム処理手段による処理は、前記水平同期信号の周期で行う処理であり、
前記非リアルタイム処理手段による処理は、前記垂直同期信号の周期で行う処理であることを特徴とする請求項２に記載のデータ処理装置。
【請求項４】
ＣＰＵを備え、
前記メモリ制御手段は、前記マスク期間において前記ＣＰＵからの前記メモリに対するアクセス要求を受け付けることを特徴とする請求項２に記載のデータ処理装置。
【請求項５】
前記メモリ制御手段は、前記マスク期間以外の期間において、前記複数の処理手段に設定された優先度に従って、前記複数の処理手段からのアクセス要求を調停することを特徴とする請求項１から４の何れか１項に記載のデータ処理装置。
【請求項６】
動画データを処理するデータ処理装置であって、
前記動画データに関連した同期信号を生成する同期信号生成手段と、
前記同期信号に応じてそれぞれ処理を行う複数の処理手段と、
メモリと、
前記複数の処理手段からの前記メモリへのアクセス要求を受け、前記アクセス要求に応じて前記複数の処理手段の前記メモリへのアクセスを制御するメモリ制御手段と、
前記メモリ制御手段に対する前記メモリ制御手段の動作のためのクロックの供給を制御するクロック制御手段とを備え、
前記メモリ制御手段は、前記同期信号に従って、前記複数の処理手段からのアクセス要求をマスクするためのマスク期間を設定し、前記マスク期間における前記複数の処理手段からのアクセス要求をマスクし、
前記クロック制御手段は、前記マスク期間において前記メモリ制御手段に対する前記クロックの供給を停止することを特徴とするデータ処理装置。
【請求項７】
前記クロック制御手段は、前記同期信号に応じて、前記マスク期間において前記メモリ制御手段に対する前記クロックの供給を停止するように、前記メモリ制御手段に対する前記クロックの供給を制御することを特徴とする請求項６に記載のデータ処理装置。
【請求項８】
前記メモリ制御手段は、前記動画データの垂直期間のうち、所定の水平期間を前記マスク期間として設定することを特徴とする請求項１から７の何れか１項に記載のデータ処理装置。
【請求項９】
動画データを処理するデータ処理装置であって、
前記動画データに関連した同期信号を生成する同期信号生成手段と、
前記同期信号に応じてそれぞれ処理を行う複数の処理手段と、
メモリと、
前記メモリのリフレッシュ要求を出力するリフレッシュ制御手段と、
前記複数の処理手段からの前記メモリへのアクセス要求を受け、前記アクセス要求に応じて前記複数の処理手段の前記メモリへのアクセスを制御するとともに、前記リフレッシュ制御手段からのリフレッシュ要求を受け、前記リフレッシュ要求に応じてリフレッシュのためのアクセスを行うメモリ制御手段とを備え、
前記メモリ制御手段は、前記同期信号に従って、前記複数の処理手段のアクセス要求をマスクするためのマスク期間を設定し、前記マスク期間において前記複数の処理手段からのアクセス要求をマスクするとともに前記リフレッシュ制御手段からのリフレッシュ要求を受け付け、前記マスク期間以外の期間において前記複数の処理手段からのアクセス要求を受け付けるとともに前記リフレッシュ制御手段からのリフレッシュ要求をマスクすることを特徴とするデータ処理装置。
【請求項１０】
前記複数の処理手段は、リアルタイム処理手段と非リアルタイム処理手段とを含み、
前記メモリ制御手段は、前記動画データの垂直期間内で、他の期間よりも前記リアルタイム処理手段からのアクセス要求の少ない、所定の水平期間を前記マスク期間として設定することを特徴とする請求項９に記載のデータ処理装置。
【請求項１１】
動画データに関連した同期信号に応じてそれぞれ処理を行う複数の処理手段と、メモリと、前記複数の処理手段からの前記メモリへのアクセス要求を受け、前記アクセス要求に応じて前記複数の処理手段の前記メモリへのアクセスを制御するメモリ制御手段とを備え、前記動画データを処理するデータ処理装置の制御方法であって、
前記メモリ制御手段が、前記同期信号に従って、前記複数の処理手段のうちの所定の処理手段からのアクセス要求をマスクするためのマスク期間を設定し、前記マスク期間における前記所定の処理手段からのアクセス要求をマスクするステップを有することを特徴とするデータ処理装置の制御方法。
【請求項１２】
動画データに関連した同期信号に応じてそれぞれ処理を行う複数の処理手段と、メモリと、前記複数の処理手段からの前記メモリへのアクセス要求を受け、前記アクセス要求に応じて前記複数の処理手段の前記メモリへのアクセスを制御するメモリ制御手段と、前記メモリ制御手段に対する前記メモリ制御手段の動作のためのクロックの供給を制御するクロック制御手段とを備え、前記動画データを処理するデータ処理装置の制御方法であって、
前記メモリ制御手段が、前記同期信号に従って、前記複数の処理手段からのアクセス要求をマスクするためのマスク期間を設定し、前記マスク期間における前記複数の処理手段からのアクセス要求をマスクするステップと、
前記クロック制御手段が、前記マスク期間において前記メモリ制御手段に対する前記クロックの供給を停止するステップと
を有することを特徴とするデータ処理装置の制御方法。
【請求項１３】
動画データに関連した同期信号に応じてそれぞれ処理を行う複数の処理手段と、メモリと、前記メモリのリフレッシュ要求を出力するリフレッシュ制御手段と、前記複数の処理手段からの前記メモリへのアクセス要求を受け、前記アクセス要求に応じて前記複数の処理手段の前記メモリへのアクセスを制御するとともに、前記リフレッシュ制御手段からのリフレッシュ要求を受け、前記リフレッシュ要求に応じてリフレッシュのためのアクセスを行うメモリ制御手段とを備え、前記動画データを処理するデータ処理装置の制御方法であって、
前記メモリ制御手段が、前記同期信号に従って、前記複数の処理手段のアクセス要求をマスクするためのマスク期間を設定し、前記マスク期間において前記複数の処理手段からのアクセス要求をマスクするとともに前記リフレッシュ制御手段からのリフレッシュ要求を受け付け、前記マスク期間以外の期間において前記複数の処理手段からのアクセス要求を受け付けるとともに前記リフレッシュ制御手段からのリフレッシュ要求をマスクすることを特徴とするデータ処理装置の制御方法。
【手続補正２】
【補正対象書類名】明細書
【補正対象項目名】００１１
【補正方法】変更
【補正の内容】
【００１１】
実施形態の一観点によれば、動画データを処理するデータ処理装置であって、前記動画データに関連した同期信号を生成する同期信号生成手段と、前記同期信号に応じてそれぞれ処理を行う複数の処理手段と、メモリと、前記複数の処理手段からの前記メモリへのアクセス要求を受け、前記アクセス要求に応じて前記複数の処理手段の前記メモリへのアクセスを制御するメモリ制御手段とを備え、前記メモリ制御手段は、前記同期信号に従って、前記複数の処理手段のうちの所定の処理手段からのアクセス要求をマスクするためのマスク期間を設定し、前記マスク期間における前記所定の処理手段からのアクセス要求をマスクすることを特徴とするデータ処理装置が提供される。
実施形態の他の観点によれば、動画データを処理するデータ処理装置であって、前記動画データに関連した同期信号を生成する同期信号生成手段と、前記同期信号に応じてそれぞれ処理を行う複数の処理手段と、メモリと、前記複数の処理手段からの前記メモリへのアクセス要求を受け、前記アクセス要求に応じて前記複数の処理手段の前記メモリへのアクセスを制御するメモリ制御手段と、前記メモリ制御手段に対する前記メモリ制御手段の動作のためのクロックの供給を制御するクロック制御手段とを備え、前記メモリ制御手段は、前記同期信号に従って、前記複数の処理手段からのアクセス要求をマスクするためのマスク期間を設定し、前記マスク期間における前記複数の処理手段からのアクセス要求をマスクし、前記クロック制御手段は、前記マスク期間において前記メモリ制御手段に対する前記クロックの供給を停止することを特徴とするデータ処理装置が提供される。
実施形態の更に他の観点によれば、動画データを処理するデータ処理装置であって、前記動画データに関連した同期信号を生成する同期信号生成手段と、前記同期信号に応じてそれぞれ処理を行う複数の処理手段と、メモリと、前記メモリのリフレッシュ要求を出力するリフレッシュ制御手段と、前記複数の処理手段からの前記メモリへのアクセス要求を受け、前記アクセス要求に応じて前記複数の処理手段の前記メモリへのアクセスを制御するとともに、前記リフレッシュ制御手段からのリフレッシュ要求を受け、前記リフレッシュ要求に応じてリフレッシュのためのアクセスを行うメモリ制御手段とを備え、前記メモリ制御手段は、前記同期信号に従って、前記複数の処理手段のアクセス要求をマスクするためのマスク期間を設定し、前記マスク期間において前記複数の処理手段からのアクセス要求をマスクするとともにリフレッシュ制御手段からのリフレッシュ要求を受け付け、前記マスク期間以外の期間において前記複数の処理手段からのアクセス要求を受け付けるとともにリフレッシュ制御手段からのリフレッシュ要求をマスクすることを特徴とするデータ処理装置が提供される。